(57)【要約】【課題】リモコン信号の送信のために別途の電源や取り付け場所の確保が不要なリモコン信号送信機能を備えた照明装置を提供する。【解決手段】予め定められた少なくとも１つの機器を遠隔操作するリモコン信号の送信指令を受信する通信部と、複数の発光素子が設けられた基板と、前記発光素子からの発光を制御する発光制御部と、前記通信部および前記発光制御部を制御する制御部とを備え、前記複数の発光素子は、照明用の可視光発光素子およびリモコン信号送信用の赤外線発光素子から構成され、前記制御部は、前記通信部が前記送信指令を受信したとき、当該送信指令に基づき前記赤外線発光素子からの発光を前記発光制御部に制御させて前記機器に前記リモコン信号を送信させることを特徴とするリモコン信号送信機能を備えた照明装置。【選択図】図２
2014075621.tif 000002
【特許請求の範囲】
【請求項１】
予め定められた少なくとも１つの機器を遠隔操作するリモコン信号の送信指令を受信する通信部と、複数の発光素子が設けられた基板と、前記発光素子からの発光を制御する発光制御部と、前記通信部および前記発光制御部を制御する制御部とを備え、
前記複数の発光素子は、照明用の可視光発光素子およびリモコン信号送信用の赤外線発光素子から構成され、
前記制御部は、前記通信部が前記送信指令を受信したとき、当該送信指令に基づき前記赤外線発光素子からの発光を前記発光制御部に制御させて前記機器に前記リモコン信号を送信させることを特徴とするリモコン信号送信機能を備えた照明装置。
【請求項２】
前記発光制御部は、前記発光素子からの発光によって生じた光の輝度および／または波長の変調機能をさらに備え、
前記制御部は、前記発光制御部に前記赤外線発光素子を発光させるとき、当該発光に合わせて予め定められた変調パターンで前記可視光発光素子からの発光によって生じた光の輝度および／または波長を前記発光制御部に変調させる請求項１に記載のリモコン信号送信機能を備えた照明装置。
【請求項３】
前記制御部は、前記発光制御部に前記可視光発光素子からの発光によって生じた光の輝度および／または波長を変調させた後、予め定められた時間、前記可視光発光素子からの発光によって生じた光の輝度および／または波長を前記発光制御部に変調させない請求項２に記載のリモコン信号送信機能を備えた照明装置。
【請求項４】
前記制御部は、前記通信部が予め定められた前記送信指令を受信したとき、前記発光制御部に前記赤外線発光素子からの発光を制御させ、前記送信指令に基づき前記機器ごとに予め定められた操作を実行させる前記リモコン信号を送信させる請求項１〜３のいずれか１つに記載のリモコン信号送信機能を備えた照明装置。
【請求項５】
前記発光素子は、ＬＥＤである請求項１〜４のいずれか１つに記載のリモコン信号送信機能を備えた照明装置。
【請求項６】
前記発光素子の発光によって生じた光を拡散させる光拡散部をさらに備え、
前記光拡散部は、前記可視光発光素子および前記赤外線発光素子からの発光によって生じた光をいずれも拡散させる位置に設けられる前記請求項１〜５のいずれか１つに記載のリモコン信号送信機能を備えた照明装置。
【発明の詳細な説明】
【技術分野】
【０００１】
この発明は、照明装置に関し、特に、リモコン信号送信機能を備えた照明装置に関する。
【背景技術】
【０００２】
従来、ネットワークインタフェースを有しない機器を制御するため、ネットワークを通じて送信されるコマンドに応じてリモートコントロール（以下、「リモコン」という）信号を発生する送信機が用いられている。しかし、リモコン信号として直進性の高い赤外線を用いた場合、その照射方向によっては障害物の裏側まで到達しないため、機器を十分に制御できないことがある。
【０００３】
このような障害物による問題を解決すべく、見通しの良い天井に設置された照明装置に赤外線リモコン信号の中継機能を組み込み、照明装置から赤外線リモコン信号を送信することによって、赤外線リモコン信号を高所から送信でき、部屋の隅々にまで制御を行き渡らせることができる技術が知られている。
このような技術としては、例えば、障害物の影響を受けにくく、低コストで設置面積を取らず目立たない赤外線リモコン中継器を備えた赤外線リモコンシステムの技術が開示されている（例えば、特許文献１を参照）。
また、メーカーや型式が異なる各種の被制御機器を制御することができるとともに、リモコン装置の製造コストを低減することが可能な、ネットワーク経由で赤外線リモコン信号を送信するネットワークリモコンシステムの技術が開示されている（例えば、特許文献２を参照）。
さらに、電化機器の赤外線リモコンにおける赤外線の指向性という問題点に鑑み、赤外線リモコンによって操作される電化機器について、その操作性を容易にすることを目的とし、赤外線信号の拡散のため、専用の反射板を利用しネットワークリモコンシステムが開示されている（例えば、特許文献３を参照）。
【先行技術文献】
【特許文献】
【０００４】
【特許文献１】特開２００３−０４７０７１号公報
【特許文献２】特開２００７−２０８７７０号公報
【特許文献３】特開２００７−２０８９８１号公報
【発明の概要】
【発明が解決しようとする課題】
【０００５】
しかしながら、リモコン信号の中継機能を照明装置等の別の機器に取り付ける場合、リモコン信号送信装置用として、別途、基板や電源等が必要となるが、そのためのスペースを確保する必要があり、コストも余分にかかるという問題がある。また、複数のリモコン信号送信装置を取り付けた場合、その取り扱いが困難であるという問題もあった。
【０００６】
この発明は、このような事情に鑑み、別途、基板や電源等を必要とせず、また、そのためのスペースの確保も不要で、コストもかからないリモコン信号送信機能を備えた照明装置を提供することにある。
【課題を解決するための手段】
【０００７】
この発明は、予め定められた少なくとも１つの機器を遠隔操作するリモコン信号の送信指令を受信する通信部と、複数の発光素子が設けられた基板と、前記発光素子からの発光を制御する発光制御部と、前記通信部および前記発光制御部を制御する制御部とを備え、前記複数の発光素子は、照明用の可視光発光素子およびリモコン信号送信用の赤外線発光素子から構成され、前記制御部は、前記通信部が前記送信指令を受信したとき、当該送信指令に基づき前記赤外線発光素子からの発光を前記発光制御部に制御させて前記機器に前記リモコン信号を送信させることを特徴とするリモコン信号送信機能を備えた照明装置を提供するものである。
【発明の効果】
【０００８】
照明用の発光素子が設けられる基板にリモコン信号送信用の発光素子を設けることにより、照明装置にリモコン信号送信機能を持たせることが可能となる。これによって、照明用の発光素子の電源回路と、リモコン信号送信用の発光素子の電源回路とを同一構成とすることができ、照明部分との部品の共用によるコスト削減を実現できる。
【図面の簡単な説明】
【０００９】
【図１】この発明の第１実施形態に係る照明システムの概略構成のブロック図である。
【図２】図１に示す照明装置の構成を示すブロック図である。
【図３】図１に示すリモコン装置の概略構成を示すブロック図である。
【図４】図３に示すリモコン装置の表示／入力部の構成を示す説明図である。
【図５】この発明の第１実施形態に係るリモコン信号の構成である。
【図６】この発明の第１実施形態に係るリモコン信号の送信処理を示すフローチャートである。
【図７】この発明の第１実施形態に係るリモコン信号の展開処理を示すフローチャートである。
【図８】リモコン信号による照明光の変調例を示す説明図である。
【図９】複数の照明装置の設定例を示す説明図である。
【図１０】複数の照明装置がある場合の各照明装置の設定方法を示すフローチャートである。
【図１１】緊急情報受信時の照明システムの動作例を示すフローチャートである。
【発明を実施するための形態】
【００１０】
この発明は、予め定められた少なくとも１つの機器を遠隔操作するリモコン信号の送信指令を受信する通信部と、複数の発光素子が設けられた基板と、前記発光素子からの発光を制御する発光制御部と、前記通信部および前記発光制御部を制御する制御部とを備え、前記複数の発光素子は、照明用の可視光発光素子およびリモコン信号送信用の赤外線発光素子から構成され、前記制御部は、前記通信部が前記送信指令を受信したとき、当該送信指令に基づき前記赤外線発光素子からの発光を前記発光制御部に制御させて前記機器に前記リモコン信号を送信させることを特徴とするリモコン信号送信機能を備えた照明装置を提供するものである。
【００１１】
この発明において、「発光素子」とは、ダイオード等の発光素子に限定されるものではなく、発光の単位を示す。
「赤外線発光素子」は、赤外線に限定されるものではなく、赤外線と同様の直進性を示す信号を送信する素子、例えば、レーザー信号等の直進性の高い信号を出力する素子であってもよい。
【００１２】
この発明によるリモコン信号送信機能を備えた照明装置において、前記発光制御部は、前記発光素子からの発光によって生じた光の輝度および／または波長の変調機能をさらに備え、前記制御部は、前記発光制御部に前記赤外線発光素子を発光させるとき、当該発光に合わせて予め定められた変調パターンで前記可視光発光素子からの発光によって生じた光の輝度および／または波長を前記発光制御部に変調させるものであってもよい。
【００１３】
このようにすれば、照明用の可視光発光素子の発光によって生じた光の輝度や色の変化によって、リモコン信号がうまく送信されていることをユーザに伝えることが可能となる。これによって、赤外線信号が送信されていることをユーザが容易に視認できるため、隣接する部屋からの混信の原因究明が容易になる。
【００１４】
この発明によるリモコン信号送信機能を備えた照明装置において、前記制御部は、前記発光制御部に前記可視光発光素子からの発光によって生じた光の輝度および／または波長を変調させた後、予め定められた時間、前記可視光発光素子からの発光によって生じた光の輝度および／または波長を前記発光制御部に変調させないものであってもよい。
【００１５】
このようにすれば、例えば、ＴＶのザッピング時に、最初のチャンネル切り替えの時にだけ変調が行われ、その後、所定の時間は変調が抑制されるため、連続操作時の発光素子の発光の頻繁な変調による煩わしさを防ぐことができる。
【００１６】
この発明によるリモコン信号送信機能を備えた照明装置において、前記制御部は、前記通信部が予め定められた前記送信指令を受信したとき、前記発光制御部に前記赤外線発光素子からの発光を制御させ、前記送信指令に基づき前記機器ごとに予め定められた操作を実行させる前記リモコン信号を送信させるものであってもよい。
【００１７】
このようにすれば、例えば、緊急情報を受信した時に、照明装置を点灯させてユーザの視界を確保し、また情報の入手に必要なテレビやラジオの電源を入れ、さらにストーブなどの火災の原因となる機器を停止させるなど、予め定められた設定に基づいた機器の統合的な制御を実現できる。また、リモコン側の設定によって、既設のエアコンやテレビを買い換えることなく、これらの統合的な制御を実現できる。
【００１８】
この発明によるリモコン信号送信機能を備えた照明装置において、前記発光素子は、ＬＥＤであってもよい。
【００１９】
このようにすれば、発光によって生じた光の輝度や色を素早く制御できるＬＥＤの特性を活かした発光素子からの発光の制御または当該発光によって生じた光の変調を実現できる。
【００２０】
この発明によるリモコン信号送信機能を備えた照明装置において、前記発光素子の発光によって生じた光を拡散させる光拡散部をさらに備え、前記光拡散部は、前記可視光発光素子および前記赤外線発光素子からの発光によって生じた光をいずれも拡散させる位置に設けられるものであってもよい。
【００２１】
このようにすれば、照明用の光拡散部を利用して赤外線のリモコン信号も同時に拡散させることが可能となるため、照明部分との部品の共用によるコスト削減を実現できる。
【００２２】
〔第１実施形態〕
＜照明装置の構成＞
以下、図１〜図１１に基づき、この発明の第１実施形態に係る照明装置１の構成を説明する。
図１は、この発明の第１実施形態に係る照明システム１００の概略構成のブロック図である。図２は、図１に示す照明装置１の構成を示すブロック図である。図３は、図１に示すリモコン装置３の概略構成を示すブロック図である。図４は、図３に示すリモコン装置３の表示／入力部３２の構成を示す説明図である。図５は、この発明の第１実施形態に係るリモコン信号の構成である。図６は、この発明の第１実施形態に係るリモコン信号の送信処理を示すフローチャートである。図７は、この発明の第１実施形態に係るリモコン信号の展開処理を示すフローチャートである。図８は、リモコン信号による照明光の変調例を示す説明図である。図９は、複数の照明装置１の設定例を示す説明図である。図１０は、複数の照明装置１がある場合の各照明装置１の設定方法を示すフローチャートである。図１１は、緊急情報受信時の照明システム１００の動作例を示すフローチャートである。
【００２３】
図１に示すように、この発明の第１実施形態に係る照明システム１００は、照明装置１、無線ＬＡＮ２、リモコン装置３、無線ルータ４、ネットワーク５およびサーバ６を備える。
【００２４】
＜照明システムの構成＞
以下、図１に示す照明システムの各構成要素を説明する。
照明装置１は、この発明に係る照明装置であり、発光素子としてＬＥＤを用い、可視光ＬＥＤ１３１（図２）の一部を赤外線ＬＥＤ１３２（図２）とした構成を有する。照明装置１の詳細については、図２の説明において後述する。
【００２５】
無線ＬＡＮ２は、無線通信を利用してケーブルを用いずに電波等によってデータの送受信を行うＬＡＮ（構内情報通信網）である。
【００２６】
リモコン装置３は、赤外線リモコン信号送信機能を有しており、無線ＬＡＮ２を介して本発明の照明装置１に送信すべき赤外線リモコン信号のパターンを送信することによって、赤外線リモコン信号受信機能を有する機器７ａ〜７ｄを制御する。
また、リモコン装置３は、無線ＬＡＮ２、無線ルータ４およびネットワーク５を介してサーバ６のデータベースから赤外線リモコン信号パターンを読み込む。
さらに、リモコン装置３は、各種の情報を受信可能な通信機能を有する携帯端末、例えば、携帯電話、ＰＨＳ、ＰＤＡ、タブレット端末、ノートパソコン、携帯型ナビゲーション装置などの携帯型端末に組み込まれたものであってもよい。また、これらの携帯端末にアプリケーションとして追加インストールされたものであっても良い。リモコン装置３の詳細については、図３の説明において後述する。
【００２７】
無線ルータ４は、無線通信機能およびルータ機能を有し、照明装置、リモコン装置３およびサーバ６の間を相互接続し、データの送受信を中継する装置である。その無線通信規格としては、例えば、Ｂｌｕｅｔｏｏｔｈ（登録商標）や無線ＬＡＮの標準規格であるＩＥＥＥ８０２．１１ａ、ＩＥＥＥ８０２．１１ｂ、ＩＥＥＥ８０２．１１ｇ、ＩＥＥＥ８０２．１１ｎ等が挙げられる。
【００２８】
ネットワーク５は、ＬＡＮまたはインターネットなどの広域ネットワーク（ＷＡＮ）、または専用の通信回線などいずれのネットワークを利用してもよい。
サーバ６は、ネットワーク５を介して無線ルータ４と接続され、無線ルータ４を介してリモコン装置３とデータの送受信を行い、データの処理および管理を行う装置である。サーバ６は、リモコン信号ＤＢ（データベース）６１を有し、機器情報、機能情報をキーとして、赤外線リモコン信号を生成するための情報（赤外線信号情報）を格納する。
【００２９】
機器７ａ〜７ｄは、赤外線リモコン信号受信機能を有しており、リモコン装置３から送信された指令に基づき送信された赤外線リモコン信号を受信して動作する。
【００３０】
＜照明装置の構成＞
次に、図２に基づき、照明装置１の各構成要素を説明する。
図２に示すように、照明装置１は、制御部１０、無線ＬＡＮ  ＩＦ１１、人感センサ１１ａ、照度センサ１１ｂ、赤外線リモコン信号受光部１１ｃ、スイッチング（ＳＷ）回路１２、基板１３、光拡散部１４、バッファ１５および電源装置１６を備える。また、スイッチング回路１２と基板１３との間には、電流制限用抵抗１２１が設けられている。
【００３１】
制御部１０は、マイクロプロセッサ(Microprocessor)を主体とする回路であり、各種装置の制御処理やオペレーティングシステム、アプリケーションソフトウェアなどの処理を行う演算装置である。また、周辺回路として、特定の用途のために設計、製造される集積回路であるＡＳＩＣ（Application Specific Integrated Circuit）、その他の演算機能を有する回路を含んでいてもよい。
【００３２】
無線ＬＡＮ  ＩＦ１１は、無線ＬＡＮ２を介して、リモコン装置３から赤外線リモコン信号パターン等のデータを受信する部分である。
【００３３】
人感センサ１１ａとしては、例えば、赤外線、超音波、可視光等によって人の存在を検知する人感センサを用いることができ、照明装置１の外部周辺の人の存在を検知するために配置される。制御部１０は、人感センサ１１ａと接続されており、人感センサ１１ａからの出力信号に基づいて照明装置１の外部周辺の人の存在情報を得、人の存在を検知した場合にのみ、照明を行う等の制御を実現する。
【００３４】
照度センサ１１ｂは、照明装置１の外部周辺の明るさを感知するセンサである。照度センサ１１ｂとしては、例えば、フォトトランジスタやフォトダイオードなどが挙げられる。制御部１０は、照度センサ１１ｂが感知した光の明るさに基づいた制御を行う。
赤外線リモコン信号受光部１１ｃは、赤外線リモコン信号を受信し、図示されない通常の赤外線リモコン装置による直接の操作を実現する。さらに、無線ＬＡＮ２を介して１１ａ、１１ｂ、１１ｃの各種センサの出力をリモコン装置３から読み取ることが可能であってもよい。
【００３５】
スイッチング回路１２は、スイッチング（ＳＷ）により、可視光ＬＥＤ１３１および赤外線ＬＥＤ１３２の発光を制御する。
基板１３は、可視光ＬＥＤ１３１および赤外線ＬＥＤ１３２を取り付けるための基板であり、可視光ＬＥＤ１３１または赤外線ＬＥＤ１３２のいずれも取り付け可能である。
光拡散部１４は、可視光ＬＥＤ１３１および赤外線ＬＥＤ１３２から発せられた光を高反射・高拡散させる機能を有し、少ない光で広範囲の光の照射を可能にし、場所による明暗差を低減するものである。
【００３６】
バッファ１５は、照明装置１の各種機能を実現するために必要な情報や、プログラムを記憶する部分であり、ＲＡＭやＲＯＭ等の半導体素子、ハードディスク、フラッシュメモリ等の記憶媒体が用いられる。
また、バッファ１５は、赤外線リモコン信号パターンを格納する。
電源装置１６は、交流電源１７より入力された交流電力を変換して直流電力を出力する。
交流電源１７は、交流電力を供給する家庭用（商用）電源である。
【００３７】
このように、制御部１０、電源装置１６の共用により、可視光ＬＥＤ１３１用のスイッチング回路１２とほぼ同じスイッチング回路１２が赤外線ＬＥＤ１３２にも利用できる。また、回路基板や光を拡散するための機構部品も共用でき、人感センサ１１ａや照度センサ１１ｂなどからの情報をリモコン装置３に送ることができる。さらに、赤外線リモコン信号受光部１１ｃを使って信号を学習させることができ、リモコン信号ＤＢ６１に新しい信号として登録することも可能となる。
【００３８】
＜リモコン装置の構成＞
次に、図３に基づき、リモコン装置３の各構成要素を説明する。
図３に示すように、リモコン装置３は、リモコン制御部３０、無線ＬＡＮ  ＩＦ３１および表示／入力部３２を備える。
【００３９】
リモコン制御部３０は、照明装置１を制御するためのアプリケーションを実行する。
無線ＬＡＮ  ＩＦ３１は、無線ＬＡＮ２を介して照明装置１およびネットワーク５と接続したサーバ６との通信を行う。
表示／入力部３２は、アプリケーションの画面を表示し、また、タッチパネルを通じた電子アイコンの操作、その他物理的なボタン操作により、ユーザの入力操作を制御部１０に伝える。アプリケーションの設定画面で操作対象となる機器を登録すると、その機器の赤外線信号情報と対応する操作画面情報がサーバ６のリモコン信号ＤＢ６１から読み出され、リモコン装置３に蓄積される。
【００４０】
リモコン装置３は、照明装置１に内蔵された各種センサ（人感センサ１１ａ、照度センサ１１ｂ等）から得られる人の体温や明るさの情報によって得られた情報を使って機器７ａ〜７ｄを制御してもよい。
また、リモコン装置３は、ネットワーク５や携帯電話回線網から得られる節電情報や緊急災害情報を使って機器７ａ〜７ｄを制御してもよい。このようにすれば、節電が必要な場合にエアコンを停止させ、緊急災害情報がある場合にＴＶを付け、暖房機を消す等の制御が可能となる。
さらに、リモコン装置３は、（図示しない）音声認識機能でコマンドを受け取り、機器７ａ〜７ｄを制御してもよい。
【００４１】
第１実施形態において、この発明の通信部は、制御部１０および無線ＬＡＮ  ＩＦ１１の協働によって実現する。この発明の発光制御部は、制御部１０およびスイッチング回路１２の協働によって実現する。
【００４２】
＜リモコン装置の表示／入力部の構成＞
次に、図４に基づき、リモコン装置３の表示／入力部３２の構成について説明する。
【００４３】
図４（Ａ）に示すように、複数の機器７（ＴＶ１、ＴＶ２等）をリモコン装置３の表示／入力部３２によって操作する。また、複数の機器７を切り替えて制御できるボタンが１画面に収まらない場合は、「前ページ」、「次ページ」ボタンによって、ページを切り替えるようにしてもよい。
【００４４】
次に、図４（Ｂ）に基づき、家庭全体を制御するモードについて説明する。
【００４５】
図４（Ｂ）に示すように、リモコン装置３の表示／入力部３２には、「外出」「睡眠」ボタンなどがあり、各ボタンを操作することによって、「外出」モードや「睡眠」モードになり、一回のボタン操作を行うだけで、照明装置１を通じて複数の機器７に赤外線リモコン信号が送信されて、照明機器７ａ、空調機器７ｂ、テレビ機器７ｃ等の複数の機器の統合的な制御が実現可能となる。
【００４６】
下の表１は、リモコン装置３からの指示を受けた機器７の統合的な制御例を示す。
表１は、左からモード、各モードの開始条件、対象機器および機器ごとの制御を示す。
【００４７】
【表１】
2014075621.tif 000003
【００４８】
表１に示すように、リモコン装置３の表示／入力部３２の「外出」ボタンを押すと、「外出」モードが設定される。ここで、ユーザがボタンを押すごとに「設定済み」と「設定解除」とが切り替えられて表示／入力部３２に表示されるため、ユーザは現在「外出」モードが設定済みか否かを確認できる。図４（Ｂ）において、「外出」モードが「設定解除」、「睡眠」モードが「設定済み」となっている。
【００４９】
以下、表１の各モードの詳細を説明する。
「外出」モードが設定された場合、照明機器７ａ、空調機器７ｂおよびテレビ機器７ｃ等の事前に設定された機器の電源がＯＦＦになる。なお、対象機器７をユーザが事前に設定してもよい。
「帰宅」モードが設定された場合、予め設定された帰宅時間に合わせて空調機器７ｂがＯＮになる。なお、空調機器７ｂ以外の機器の制御がされた時や照明装置１の人感センサ１１ａで帰宅を検出してもよい。
「節電」モードが設定された場合、一定時間内に空調機器７ｂ以外の機器が制御されなければ、空調機器７ｂがＯＦＦになる。
「睡眠」モードが設定された場合、照明が暗くなり、空調が弱くなり、一定時間後にＴＶがＯＦＦになる。
「起床」モードが設定された場合、予め設定された起床時間に合わせて照明をＯＮにし、ＴＶをＯＮにする。
【００５０】
その他、夕食モード、映画モードなど、生活シーンに合わせたモード画面を設定してもよい。このような統合的な制御方法の詳細については、図１１の説明において後述する。
【００５１】
＜赤外線リモコン送信機能を用いた機器の操作＞
次に、図５〜図１０に基づき、リモコン装置３の赤外線リモコン送信機能を用いた機器７ａ〜７ｄの操作について説明する。
【００５２】
リモコン装置３の表示／入力部３２のアプリケーションの設定画面上に用意された検索ボックスに対象となる機種名を入力すると、無線ＬＡＮ  ＩＦ１１経由でネットワーク５上に接続されたサーバ６に問い合わせを行い、赤外線信号情報と対応する操作画面情報を取得する。
【００５３】
＜赤外線リモコン信号の構成＞
次に、図５に基づき、赤外線リモコン信号の構成について説明する。
図５（ａ）に示すように、赤外線リモコン信号は、フレームＩＲＦと呼ばれる信号パターンの繰り返しから構成される。図５（ａ）は、赤外線リモコン信号を構成するフレームＩＲＦ１，ＩＲＦ２およびＩＲＦ３の一連の流れを示し、横軸は時間軸（Time）を表す。
【００５４】
また、図５（ｂ）に示すように、フレームＩＲＦは、リーダＩＲＦｒ、データＩＲＦｄ、トレーラＩＲＦｔの３種類の信号パターンから構成される。
リーダＩＲＦｒは、フレームＩＲＦの開始を示す信号パターンである。
データＩＲＦｄは、フレームＩＲＦで伝送するデータに応じた信号パターンであり、０のビットをあらわす信号パターンと１のビットをあらわす信号パターンとの組み合わせで構成される。
トレーラＩＲＦｔは、フレームＩＲＦの終了を示す信号パターンである。
【００５５】
図５（ｃ）に示すように、１ビットをあらわす信号パターンの持続時間を発光時間、０ビットをあらわす信号パターンの持続時間を消灯時間として、赤外線リモコン信号におけるパターンが定義される。
【００５６】
また、対象となる機器７によっては、トレーラＩＲＦｔがないフレーム構造や同じフレームＩＲＦの繰り返し送信の代わりにリピートを示す信号パターン（例えば、データＩＲＦｄのないリーダＩＲＦｒとトレーラＩＲＦｔとだけから構成される信号パターンなどが用いられる）を採用する場合もある。
【００５７】
なお、赤外線リモコン信号は、３８ｋＨｚ前後のキャリアで変調されている。
サーバ６のリモコン信号ＤＢ６１に格納される赤外線リモコン信号情報は、キャリア周波数、リーダＩＲＦｒ、０および１のビット、トレーラＩＲＦｔの各パターンの定義（発光時間と消灯時間）と送るべきデータＩＲＦｄおよびそのビット数から構成される。
【００５８】
＜赤外線リモコン信号の送信処理＞
次に、図６に基づき、リモコン装置３の操作による赤外線リモコン送信機能の送信処理について説明する。
【００５９】
最初に、ステップＳ１０１において、リモコン制御部３０は、表示／入力部３２に操作画面を表示させ、ユーザから機器７ａ〜７ｄの操作指令があったか否かを判定する（ステップＳ１０１）。ここで、ユーザは、操作したい機器７ａ〜７ｄ（テレビ、エアコン等）の操作したい機能（チャンネル切り替え、室温設定）に対応する表示／入力部３２を操作する。
【００６０】
ユーザから機器７ａ〜７ｄの操作指令があった場合（ステップＳ１０１の判定がＹｅｓの場合）、リモコン制御部３０は、ステップＳ１０２へ進む。
一方、ユーザから機器７ａ〜７ｄの操作指令がない場合（ステップＳ１０１の判定がＮｏの場合）、リモコン制御部３０は、ステップＳ１０１の判定を繰り返す（ステップＳ１０１）。
【００６１】
次に、ステップＳ１０２において、リモコン制御部３０は機器７ａ〜７ｄの情報およびその機能の情報に基づき、予めリモコン信号ＤＢ６１から取得済みの赤外線リモコン信号情報をとりだす（ステップＳ１０２）。
【００６２】
続いて、ステップＳ１０３において、リモコン制御部３０は、取得した赤外線リモコン信号情報を展開して発光／消灯の赤外線リモコン信号パターンに展開する。なお、当該フレームの展開処理の詳細については、図７の説明において後述する。
【００６３】
次に、ステップＳ１０４において、リモコン制御部３０は、全フレームの展開が完了したか否か判定する（ステップＳ１０４）。
ステップＳ１０４において、全フレームの展開が完了した場合（ステップＳ１０４の判定がＹｅｓの場合）、リモコン制御部３０は、ステップＳ１０５へ進む。
一方、ステップＳ１０４において、全フレームの展開が完了していない場合（ステップＳ１０４の判定がＮｏの場合）、リモコン制御部３０は、ステップＳ１０３へ進む。
【００６４】
続く一連のステップＳ１０５〜Ｓ１１１において、リモコン制御部３０は、無線ＬＡＮ  ＩＦ１１を介して照明装置１に、ロック指示（ステップＳ１０５）、赤外線リモコン信号パターン（ステップＳ１０６）、送信開始指示（ステップＳ１０７）、継続指示（ステップＳ１０９）、送信停止指示（ステップＳ１１０）およびアンロック指示（ステップＳ１１１）を送信させる。一方、照明装置１の制御部１０は、これら一連の指示を受けて、予め定められた動作を実行する。
【００６５】
下の表２は、リモコン装置３からの一連の指示に対する照明装置１の動作例を示す。また、ステップＳ２０１〜Ｓ２１１は、リモコン装置３からの一連の指示に対する照明装置１の制御部１０の処理を示す（ステップＳ２０１〜Ｓ２１１）。
【００６６】
【表２】
2014075621.tif 000004
【００６７】
これらの指示は、リモコン装置３のＵＵＩＤ（Universally Unique Identifier）など、制御しているリモコン装置３の識別情報と共に送信される。
【００６８】
「ロック」指示は、リモコン装置３がその照明装置１の制御を開始することを示す指示である。
【００６９】
ステップＳ２０１において、照明装置１の制御部１０は、リモコン装置３からロック指示を受け取ったか否かを判定する（ステップＳ２０１）。
ステップＳ２０１において、リモコン装置３からロック指示を受け取った場合（ステップＳ２０１の判定がＹｅｓの場合）、制御部１０は、ステップＳ２０２へ進み、同一のＵＵＩＤを含む「アンロック」指示を受け取るまで、他のリモコン装置３からの制御を拒否する（ステップＳ２０２）。
一方、ステップＳ２０１において、リモコン装置３からロック指示を受け取っていない場合（ステップＳ２０１の判定がＮｏの場合）、制御部１０は、ステップＳ２０１の判定を反復する（ステップＳ２０１）。
【００７０】
続くステップＳ２０３において、制御部１０は、リモコン装置３から赤外線リモコン信号パターンを受信したか否かを判定する（ステップＳ２０３）。
ステップＳ２０３において、リモコン装置３から赤外線リモコン信号パターンを受信した場合（ステップＳ２０３の判定がＹｅｓの場合）、制御部１０は、ステップＳ２０４へ進み、その信号パターンをバッファ１５に格納する（ステップＳ２０４）。
一方、ステップＳ２０３において、リモコン装置３から赤外線リモコン信号パターンを受信していない場合（ステップＳ２０３の判定がＮｏの場合）、制御部１０は、ステップＳ２０３の判定を反復する（ステップＳ２０３）。
【００７１】
続いて、ステップＳ２０５において、制御部１０は、リモコン装置３から送信開始指示を受信したか否かを判定する（ステップＳ２０５）。
ステップＳ２０５において、リモコン装置３から送信開始指示を受信した場合（ステップＳ２０５の判定がＹｅｓの場合）、制御部１０は、ステップＳ２０６へ進み、バッファ１５に格納された赤外線リモコン信号の送信を開始する（ステップＳ２０６）。
【００７２】
ここで、「送信開始」指示には、「繰り返し型」と「繰り返し無し型」の２種類があり、前者は、バッファ１５に格納された信号パターンの内容を繰り返し送信し、後者は、一度だけ送信した後、送信を停止する。
【００７３】
一方、ステップＳ２０５において、リモコン装置３から送信開始指示を受信していない場合（ステップＳ２０５の判定がＮｏの場合）、制御部１０は、ステップＳ２０５の判定を反復する（ステップＳ２０５）。
【００７４】
「継続」指示は、リモコン装置３と照明装置１との間の通信回線が有効であることを示すために、リモコン制御部３０が一定間隔（例えば０．５秒）で送信する指示である。
【００７５】
ステップＳ１０８において、リモコン制御部３０は、操作ボタンが離されるなど、ユーザからの操作指令が解除されたか否かを判定する（ステップＳ１０８）。
ステップＳ１０８において、ユーザからの操作指令が解除された場合（ステップＳ１０８の判定がＹｅｓの場合）、リモコン制御部３０は、ステップＳ１１０へ進み、送信停止指示を送信する（ステップＳ１１０）。
一方、ステップＳ１０８において、ユーザからの操作指令が解除されていない場合（ステップＳ１０８の判定がＮｏの場合）、リモコン制御部３０は、ステップＳ１０９へ進み、継続指示を送信する（ステップＳ１０９）。
【００７６】
次に、ステップＳ２０７において、制御部１０は、リモコン装置３からの継続指示が一定期間（例えば、１秒間）中断されたか否かを判定する（ステップＳ２０７）。
ステップＳ２０７において、リモコン装置３からの継続指示が一定期間中断した場合（ステップＳ２０７の判定がＹｅｓの場合）、制御部１０は、ステップＳ２０９へ進み、赤外線リモコン信号の送信を停止する（ステップＳ２０９）。
一方、リモコン装置３からの継続指示が一定期間中断していない場合（ステップＳ２０７の判定がＮｏの場合）、制御部１０は、ステップＳ２０８へ進む。
【００７７】
このように、「継続」指示の中断の有無の判定により、リモコン装置３と照明装置１との通信状態の悪化等により、例えば、テレビの音量ＵＰの信号が送信され続け、大音量によりユーザに不快感を与える事態などを防止できる。
【００７８】
次に、ステップＳ２０８において、制御部１０は、送信停止指示を受信したか否かを判定する（ステップＳ２０８）。
ステップＳ２０８において、送信停止指示を受信した場合（ステップＳ２０８の判定がＹｅｓの場合）、制御部１０は、ステップＳ２０９へ進み、赤外線リモコン信号の送信を停止する（ステップＳ２０９）。
一方、ステップＳ２０８において、送信停止指示を受信していない場合（ステップＳ２０８の判定がＮｏの場合）、制御部１０は、ステップＳ２０７へ進み、ステップＳ２０７の判定を反復する（ステップＳ２０７）。
【００７９】
次に、ステップＳ２１０において、制御部１０は、リモコン装置３からアンロック指示を受信したか否かを判定する（ステップＳ２１０）。
ステップＳ２１０において、リモコン装置３からアンロック指示を受信した場合（ステップＳ２１０の判定がＹｅｓの場合）、制御部１０は、ステップＳ２１１へ進み、他のリモコン装置３からの制御を受け付ける（ステップＳ２１１）。
一方、ステップＳ２１０において、リモコン装置３からアンロック指示を受信した場合（ステップＳ２１０の判定がＮｏの場合）、制御部１０は、ステップＳ２１０の判定を反復する（ステップＳ２１０）。
【００８０】
また、ロック指示を受け取った後、一定期間（例えば１分間）以上、ロック指示のＵＵＩＤと同じＵＵＩＤを持つリモコン装置３からの指示を受け取らなかった場合は、アンロック指示を受け取ったものとして動作するようにしてもよい。このようにすることで、リモコン装置３と照明装置１との通信状態の悪化により、いつまでもアンロックされず、他のリモコン装置３から制御できない状態が続くことを防止する。アンロック指示を受け取った後、制御部１０は、バッファ１５をクリアする。
【００８１】
＜赤外線リモコン信号の展開処理＞
次に、図７に基づき、リモコン装置３における赤外線リモコン信号の展開処理の詳細について説明する。
【００８２】
最初に、ステップＳ３０１において、制御部１０は、フレームＩＲＦのうち、リーダＩＲＦｒを展開する（ステップＳ３０１）。
【００８３】
次に、ステップＳ３０２において、制御部１０は、リーダＩＲＦｒに続くデータＩＲＦｄのうち、１ビットを取得する（ステップＳ３０２）。
続くステップＳ３０３において、制御部１０は、取得したビットが０か否かを判定する（ステップＳ３０３）。
ステップＳ３０３において、取得したビットが０の場合（ステップＳ３０３の判定がＹｅｓの場合）、制御部１０は、ステップＳ３０４へ進み、０のビットパターンを展開する（ステップＳ３０４）。
一方、ステップＳ３０３において、取得したビットが０でない場合（ステップＳ３０３の判定がＮｏの場合）、制御部１０は、ステップＳ３０５へ進み、１のビットパターンを展開する（ステップＳ３０５）。
【００８４】
次に、ステップＳ３０６において、制御部１０は、データＩＲＦｄを構成する全ビットの展開が完了したか否かを判定する（ステップＳ３０６）。
データＩＲＦｄを構成する全ビットの展開が完了した場合（ステップＳ３０６の判定がＹｅｓの場合）、制御部１０は、ステップＳ３０７へ進み、トレーラＩＲＦｔを展開し（ステップＳ３０７）、フレームの展開処理を終了する。
一方、データＩＲＦｄを構成する全ビットの展開が完了していない場合（ステップＳ３０６の判定がＮｏの場合）、制御部１０は、ステップＳ３０２へ進み、データＩＲＦｄを構成する次のビットを取得して、ステップＳ３０２〜Ｓ３０６の処理を反復する（ステップＳ３０２〜Ｓ３０６）。
【００８５】
なお、リモコン装置３にスマートフォンを用いた場合など、リモコン装置３の処理能力が高い場合は、リモコン信号情報から赤外線リモコン信号への展開をリモコン制御部３０で行うことが望ましいが、これに限定されるものではなく、照明装置１に送信した後、照明装置１の制御部１０で赤外線リモコン信号情報を赤外線リモコン信号パターンに展開してもよい。
【００８６】
＜照明連動動作例＞
次に、図８および図９に基づき、照明連動動作例について説明する。
【００８７】
図８（Ａ）に示すように、赤外線リモコン信号のフレームＩＲＦ１〜ＩＲＦ３に合わせて照明光を白色から赤色に変調する。また、照明が消えている場合は、極めて弱い照明を点灯させるなどの変調を行うことにより、赤外線信号が送信されていることをユーザに知らせることができる。
【００８８】
また、図８（Ｂ）に示すように、一度照明色を変調させた後、予め定められた抑制期間の間、変調を抑制する。このようにすれば、音量調整やザッピングなど同一の機器を連続して操作する際に、著しく色の変化が生じてユーザに不快感を与えることを防止できる。なお、制御対象となる機器が変わるときは、抑制期間にかかわらず照明光を変調してもよい。
【００８９】
＜複数の照明装置の設定例＞
次に、図９および図１０に基づき、設定対象となる照明装置１が複数ある場合の設定例について説明する。
設定時に設定対象となる照明装置１が複数ある場合は、それぞれの照明装置１を色の違いで識別する。
【００９０】
図９（Ａ）に示すように、例えば、赤外線リモコン信号が到達する範囲に４つの本発明の照明装置１ａ〜１ｄが設置されている場合、照明光を変調させると送信開始タイミングの微妙なずれによって波形が乱れ、照明装置１ａ〜１ｄ間で干渉が生じることがある。
【００９１】
ここで、赤外線リモコン信号のパルス幅は十数マイクロ秒であり、照明装置１ａ〜１ｄを相互に同期させることで干渉を排除するのは困難である。そこで、以下の２通りの解決方法が考えられる。１つ目の方法（解決方法１）は、制御対象の機器７に最も近い照明装置１からのみ赤外線リモコン信号を送信する方法であり、２つ目の方法（解決方法２）は、送信タイミングが重ならないよう、時間的にずらして送信する方法である。
しかしながら、解決方法１は、制御対象の機器７と照明装置１ａ〜１ｄとの対応付けを予め設定しなければならず、また、解決方法２は、赤外線リモコン信号の送信期間が１００ミリ秒以上であるため、制御のレスポンスが悪くなるという問題がある。
【００９２】
そこで、この発明に係る照明システム１００においては、図９（Ａ）に示すように、識別ボタンを操作した後、例えば、緑色、赤色、黄色、青色の各照明色に対応するボタンを操作することで、設定対象を選択する。
そして、図９（Ｂ）に示すように、照明装置１ａ〜１ｄをそれぞれ、緑色、赤色、黄色、青色の各照明色で変調させることにより、照明装置１ａ〜１ｄ間で干渉が生じることを防止することが可能となる。
【００９３】
なお、照明装置１の数が多い場合は、利用できる色の種類が減るため、色の変化の組み合わせや点滅パターンを利用してもよい。例えば、「緑→青」のような色の変化の組み合わせで判定させてもよい。この場合、色弱者用モードを用意し、見分けにくい色の組み合わせを避けてもよい。また、色の変化の代わりに短い消灯を１回させる、または２回させる等の違いで表現してもよい。
【００９４】
次に、図１０に基づき、複数の照明装置がある場合の各照明装置の設定方法について説明する。
【００９５】
最初に、ステップＳ４０１において、リモコン制御部３０は、ネットワークブロードキャストで家庭内に設置されたこの発明の照明装置１ａ〜１ｄの一覧を取得する（ステップＳ４０１）。このとき、ＵＰｎＰ（Universal Plug & Play）などの技術が利用できる。
【００９６】
次に、ステップＳ４０２において、リモコン制御部３０は、対象となる照明装置１が２以上あるか否かを判定する（ステップＳ４０２）。
ステップＳ４０２において、対象となる照明装置１が２以上ある場合（ステップＳ４０２の判定がＹｅｓの場合）、リモコン制御部３０は、ステップＳ４０３へ進む。
一方、ステップＳ４０２において、対象となる照明装置１が２以上ない場合、すなわち０または１つのみである場合（ステップＳ４０２の判定がＹｅｓの場合）、識別は不要であり、リモコン制御部３０は、設定を終了させる。
【００９７】
次に、ステップＳ４０３において、リモコン制御部３０は、識別ボタンが操作されたか否かを判定する（ステップＳ４０３）。
ステップＳ４０３において、識別ボタンが操作された場合（ステップＳ４０３の判定がＹｅｓの場合）、リモコン制御部３０は、ステップＳ４０４へ進む。
一方、ステップＳ４０３において、識別ボタンが操作されていない場合（ステップＳ４０３の判定がＮｏの場合）、リモコン制御部３０は、ステップＳ４０３の判定を反復する。
【００９８】
次に、ステップＳ４０４において、リモコン制御部３０は、対象となる照明装置１ごとに対応する識別点灯パターン（色、点滅パターンなど）の選択画面を表示する（ステップＳ４０４）。
【００９９】
続くステップＳ４０５において、リモコン制御部３０は、ユーザにより照明パターンが選択されたか否かを判定する（ステップＳ４０５）。
ステップＳ４０５において、ユーザにより照明パターンが選択された場合（ステップＳ４０５の判定がＹｅｓの場合）、リモコン制御部３０は、ステップＳ４０６へ進む。
一方、ステップＳ４０５において、ユーザにより照明パターンが選択されていない場合（ステップＳ４０５の判定がＮｏの場合）、リモコン制御部３０は、ステップＳ４０５の判定を反復する。
【０１００】
最後に、ステップＳ４０６において、選択された照明パターンを対象となる照明装置１の設定、どの照明装置１に赤外線リモコンを送信するかの設定、および部屋を識別するためのニックネームの設定等の識別名設定処理を実行し（ステップＳ４０６）、設定を終了させる。
【０１０１】
＜緊急情報受信時の照明システムの動作例＞
最後に、図１１に基づき、この発明の照明システム１００の応用例として、緊急情報受信時の動作について説明する。
【０１０２】
最初に、緊急情報を受信した後、制御部１０は、ステップＳ５０１へ進み、照明装置１を点灯させる（ステップＳ５０１）。照明装置１としては、この発明に係る照明装置１の他、通常の照明機器７ａまたは照明装置１および照明機器７ａの両方であってもよい。
【０１０３】
次に、ステップＳ５０２へ進み、指定機器の停止信号を送信する（ステップＳ５０２）。ここで、指定機器としては、ストーブやコンロなど火災の原因となる機器や、エアコンや洗濯機などの機器が挙げられる。
【０１０４】
次に、制御部１０は、ステップＳ５０３へ進み、指定情報機器の電源ＯＮ信号を送信する（ステップＳ５０３）。ここで、指定情報機器としては、緊急情報の入手に必要なテレビやラジオ等の機器が挙げられる。
【０１０５】
このようにして、地震などの緊急情報を受信した際に、例えば、照明装置１を点灯させて視界を確保した上で指定機器を停止させ、指定情報機器の電源を入れるように制御することにより、安全を確保できる。
【０１０６】
なお、この際、異常事態であることを示すために、照明装置１の点灯色を赤色にする、あるいは、通常色で発光させながら、数秒に一度、短く赤色で発光させるなどの制御を行ってもよい。
上に挙げた処理はあくまで一例であり、この発明の照明装置１の処理を限定するものではない。
【符号の説明】
【０１０７】
１，１ａ〜１ｄ：照明装置
２：無線ＬＡＮ
３：リモコン装置
４：無線ルータ
５：ネットワーク
６：サーバ
７，７ａ〜７ｄ：機器
１０：制御部
１１，３１：無線ＬＡＮ  ＩＦ
１１ａ：人感センサ
１１ｂ：照度センサ
１１ｃ：赤外線リモコン信号受光部
１２：スイッチング回路
１３：基板
１４：光拡散部
１５：バッファ
１６：電源装置
１７：交流電源
３０：リモコン制御部
３２：表示／入力部
６１：リモコン信号ＤＢ
１００：照明システム
１２１：電流制限用抵抗
１３１：可視光ＬＥＤ
１３２：赤外線ＬＥＤ
ＩＲＦ，ＩＲＦ１〜ＩＲＦ３：フレーム
ＩＲＦｒ：リーダ
ＩＲＦｄ：データ
ＩＲＦｔ：トレーラ
【図１】
2014075621.tif 000005
【図２】
2014075621.tif 000006
【図３】
2014075621.tif 000007
【図４】
2014075621.tif 000008
【図５】
2014075621.tif 000009
【図６】
2014075621.tif 000010
【図７】
2014075621.tif 000011
【図８】
2014075621.tif 000012
【図９】
2014075621.tif 000013
【図１０】
2014075621.tif 000014
【図１１】
2014075621.tif 000015